(57)【特許請求の範囲】
【請求項１】
器具本体の垂直面に設けられ中央に開口部を有し該開口部内周の対向する面の端に各々回動穴を形成した取付部と、外周に突設した一対の回動軸を前記回動穴に挿入して開閉自在に軸支された蓋体とからなり、該蓋体の正面に取手部を立設した蓋体の開閉装置に於いて、開口部内周に係止穴を形成し、かつ蓋体の回動軸を突設した一方の面に係止穴と係合する係止片を設け、前記係止穴及び該係止穴と同一面に設けた回動穴とを長穴に形成すると共に取手部を係止片側に設けたことを特徴とする蓋体の開閉装置。
【請求項２】
前記取手部は蓋体の軸支側の面を傾斜面に形成して取手部が先端に向かって薄くなるように設けたことを特徴とする請求項１記載の蓋体の開閉装置。
【請求項３】
前記取手部は蓋体の軸支側の面に突起部を形成したことを特徴とする請求項１記載の蓋体の開閉装置。
【発明の詳細な説明】
【０００１】
【産業上の利用分野】
この発明は、器具の操作部の操作ボタンや運転スイッチなどを覆う開閉自在に取り付けられた蓋体に関するものである。
【０００２】
【従来の技術】
従来よりこの種のものに於いては、第１１図及び第１２図に示すように、例えば、石油燃焼器具や温水式温風暖房機などの器具１０１の正面に、中央が開口された口の字状の取付部１０２を設け、この取付部１０２の開口部分に操作部１０３を設けていた。
【０００３】
この操作部１０３は、上方には運転スイッチ１０４や操作ボタン１０５等通常よく操作するスイッチやボタンが配設され、下方には通常頻繁には操作しないスイッチやボタン、例えば器具１０１のいろいろな設定条件や設定状態を設定、変更、解除する時に操作する設定ボタン１０６が配設されている。
【０００４】
そして、操作部１０３の下方に配設された設定ボタン１０６は、操作しない時には取付部１０２に開閉自在に取り付けられた蓋体１０７により隠され、操作するときに蓋体１０７を開いて操作していた。
【０００５】
この蓋体１０７には、開閉する時に手でつまむ取手部１０８が正面略中央の上端に形成され、左右の側面下端には回動軸１０９・１１０が各々突設され、左右の側面上端には係止片１１１・１１２が各々突設されている。
【０００６】
また、この蓋体１０７が回動自在に取り付けられる取付部１０２の中央開口部分内面の左右の下端部分には、蓋体１０７の回動軸１０９・１１０が差し込まれる回動穴１１３・１１４が各々形成され、中央開口部分内面の左右の上方には、蓋体１０７の係止片１１１・１１２が係合する係止穴１１５・１１６が各々形成されている。
【０００７】
そして、取付部１０２の回動穴１１３・１１４に蓋体１０７の回動軸１０９・１１０が差し込まれ、取付部１０２の係止穴１１５・１１６に蓋体１０７の係止片１１１・１１２が係合して蓋体１０７が閉じている状態から、取手部１０８をつまんで蓋体１０７を手前に引っ張ると、まず係止穴１１５・１１６内面に係止片１１１・１１２が接触し、更に蓋体１０７を手前に引っ張ると、蓋体１０７がたわんで係止穴１１５・１１６内から係止片１１１・１１２が逃げて蓋体１０７が開いた。
【０００８】
逆に、蓋体１０７が開いている状態から蓋体１０７の取手部１０８を指でつまんで押すと、まず取付部１０２の開口部分の正面縁部に係止片１１１・１１２が接触し、更に蓋体１０７を押すと、蓋体１０７がたわんで取付部１０２の開口部分の正面縁部から係止片１１１・１１２が逃げ、そして係止穴１１５・１１６内に係止片１１１・１１２が差し込まれて蓋体１０７が閉じていた。
【０００９】
【発明が解決しようとする課題】
ところで、蓋体１０７の開閉をスムーズにするため、係止穴１１５・１１６内に差し込んだときの係止片１１１・１１２の差込寸法を小さくすると、開くときの係止穴１１５・１１６内面と係止片１１１・１１２との接触及び閉じるときの取付部１０２の開口部分の正面縁部と係止片１１１・１１２との接触が弱くなって接触時の衝撃が小さくなり、開閉時の蓋体１０７のたわみが少なくなって、開閉がスムーズになる。
【００１０】
しかし、係止穴１１５・１１６内に差し込んだときの係止片１１１・１１２の差込寸法を小さくしたため、蓋体１０７が閉じているときの取付部１０２の係止穴１１５・１１６と蓋体１０７の係止片１１１・１１２との係合が弱くなり、ちょっとした衝撃で係止穴１１５・１１６から係止片１１１・１１２が外れて蓋体１０７が開いてしまう欠点があった。
【００１１】
また、逆にちょっとした衝撃で閉じている蓋体１０７が開いてしまわないように、係止穴１１５・１１６内に差し込んだときの係止片１１１・１１２の差込寸法を大きくすると、閉じている時の係止穴１１５・１１６内面と係止片１１１・１１２との接触が強くなって、ちょっとした衝撃で蓋体１０７が開いてしまわないようになる。
【００１２】
しかし、係止穴１１５・１１６内に差し込んだ時の係止片１１１・１１２の差込寸法を大きくしたため、蓋体１０７を開く時の係止穴１１５・１１６内面と係止片１１１・１１２との接触及び閉じる時の取付部１０２の開口部分の正面縁部と係止片１１１・１１２との接触が強くなって接触時の衝撃が大きくなり、開閉時の蓋体１０７のたわみが多くなって、蓋体１０７の開閉がしづらくなる欠点があり、開閉のスムーズさと閉じているときの係止力の強さを両立させるのは大変難しい問題であった。
【００１３】
【問題点を解決するための手段】
本発明はこの点に着目し上記欠点を解決する為、特にその構成を、器具本体の垂直面に設けられ中央に開口部を有し該開口部内周の対向する面の端に各々回動穴を形成した取付部と、外周に突設した一対の回動軸を前記回動穴に挿入して開閉自在に軸支された蓋体とからなり、該蓋体の正面に取手部を立設した蓋体の開閉装置に於いて、開口部内周に係止穴を形成し、かつ蓋体の回動軸を突設した一方の面に係止穴と係合する係止片を設け、前記係止穴及び該係止穴と同一面に設けた回動穴とを長穴に形成すると共に取手部を係止片側に設けたものである。
【００１４】
【作用】
蓋体１２を開閉するため、蓋体１２の取手部１３を指でつまむと、軸が挿入されてもがたつかないように形成された回動穴７側の回動軸１４はほとんど動かないが、係止穴６と回動穴８は長穴状に形成されているので、係止片１６及び回動軸１５は取手部１３が指に押されることにより移動し、蓋体１２が回動軸１４を中心にしてわずかに回動して蓋体１２が傾いた状態となる。
【００１５】
そのため、係合片１６は蓋体１２が傾いていない状態の時よりも取付部４の係止穴６と係合しない方向に移動し、取手部１３を指でつまんで蓋体１２を回転させて、閉じるときは取付部４の開口部５の正面縁部に当接しないか当接してもわずかでほとんど衝撃がない状態で蓋体１２を閉じることができ、開くときは係合片１６は取付部４の係止穴６内と当接しないか当接してもわずかで、ほとんど衝撃がない状態で蓋体１２を開くことができるものである。
【００１６】
そして、その状態で取手部１３をつまんだ指を離すと、閉じる時は蓋体１２が回動軸１４を中心にして反対方向にわずかに回動して元のまっすぐな状態となり、係合片１６が係止穴６内に位置して完全に係合して蓋体１２は係止された状態で閉じ、開く時も蓋体１２が回動軸１４を中心にして反対方向にわずかに回動して元のまっすぐな状態となり、蓋体１２は開いた状態となるものである。
【００１７】
【実施例】
次にこの発明に係る蓋体の開閉装置を図面に示す一実施例で説明する。
１は温水式温風暖房機の器具本体で、前面パネル２の下部に形成した吹き出し口３より温風を吹き出して暖房を行うものである。
【００１８】
４は口の字状の取付部で、中央に開口部５を形成して前面パネル２の右上に配置されており、開口部５内周の右側中ほどの位置に係止穴６が形成され、左側下端及び右側下端には回動穴７，８が形成されている。
【００１９】
９は操作部で、取付部４の開口部５内に位置するように器具本体１に取り付けられ、上方には運転スイッチ１０や操作ボタン１１など通常頻繁に操作するスイッチやボタンが配設され、下方には頻繁には操作しないスイッチやボタン、例えばいろいろな機能や条件の設定、変更、解除などを行うための設定ボタン（図示せず）などが配設されている。
【００２０】
１２は蓋体で、取付部４の開口部５より小さく、正面右上端に取手部１３を設け、左右側面の下端部分には回動軸１４・１５か突設され、右側面上方には係合片１６が突設されている。
【００２１】
次に、この蓋体の開閉装置の開閉動作について説明する。
まず、取付部４の回動穴７に蓋体１２の回動軸１４を差し込み、次にもう一方の回動穴８に蓋体１２の回動軸１５を差し込んで軸支し、取付部４に対して蓋体１２を回動自在に取り付け、この状態で蓋体１２が開いている状態となる。
【００２２】
この時、回動穴７は差し込んだ回動軸１４がスムーズに回動すると共に、差し込んだ回動軸１４ががたつかないくらいの大きさに形成され、もう一方の回動穴８は差し込んだ回動軸１５が上下に移動できるよう長穴状に形成されている。
【００２３】
次に、この蓋体１２が開いている状態から閉じるには、蓋体１２の取手部１３を指でつまんで回動軸１４・１５を軸にして上向きに回転させる。
この時、正面向かって左側の回動軸１４はほとんど動かないが、正面向かって右側の回動軸１５が挿入される回動穴８及び係止穴６が長穴状に形成されているため、係止穴６及び回動穴８内に遊挿されている係合片１６及び回動軸１５が上方向に移動し、それにより蓋体１２が回動軸１４を中心にして反時計回りにわずかに回動して、右側の回動軸１５より左側の回動軸１４が上に位置した傾いた状態で蓋体１２が回動する。
【００２４】
そのため、係合片１６は蓋体１２が傾いていない状態の時よりも取付４の係止穴６と係合しない方向に移動し、蓋体１２を上向きに回転させたとき、図４のように取付４の開口部５の正面縁部に当接しないか当接してもわずかでほとんど衝撃がない状態で蓋体１２を閉じることができるものである。
【００２５】
そして、その状態で取手部１３をつまんだ指を離すと、蓋体１２が回動軸１４を中心にして時計回りにわずかに回動し、右側の回動軸１５と左側の回動軸１４とが同じ高さになって図３のように元のまっすぐな状態になる。
それにより係合片１６が係止穴６内に移動して完全に係合し、蓋体１２は係止された状態で閉じるものである。
【００２６】
次に、図３のように係止された状態で閉じている蓋体１２を開くときは、まず蓋体１２の取手部１３を指でつまむ。
普通、このように水平方向を軸とした蓋体１２の取手部１３をつまむ動作として、つまむ物の下に人差し指を位置させ、上に親指を位置させて物をつまむもので、人差し指の動作として下から上へとつまむ物を押し上げる動作となる。
【００２７】
したがって、閉じている蓋体１２の取手部１３を指でつまむときも、人差し指が取手部１３を下から上へと押し上げてつまむため、蓋体１２が回動軸１４を中心にして反時計回りにわずかに回動し、それにより右側の回動軸１５より左側の回動軸１４が上に位置して図４のように蓋体１２が傾いた状態となる。
【００２８】
そのため、係合片１６は蓋体１２が傾いていない状態の時よりも取付部４の係止穴６と係合しない方向に移動し、その状態から蓋体１２を下向きに回転させたとき、係合片１６は取付部４の係止穴６内と当接しないか当接してもわずかで、ほとんど衝撃がない状態で蓋体１２を開くことができるものである。
【００２９】
そして、その状態で取手部１３をつまんだ指を離すと、蓋体１２が回動軸１４を中心にして時計回りにわずかに回動し、右側の回動軸１５と左側の回動軸１４とが同じ高さになって元のまっすぐな状態となり、蓋体１２は開いた状態となるものである。
【００３０】
更に、蓋体１２の取手部１３を指でつまんだとき、人差し指が取手部１３を下から上へとより押し上げてつまめるようにするため、図５及び図６のように取手部１３の蓋体１２の軸支側の面、つまり下面を傾斜させて傾斜面１７を形成し、取手部１３の先端に行くほど厚さが薄くなるようにしたので、取手部１３の下面に人差し指が当接したときに、その傾斜面１７により取手部１３をより押し上げることとなり、よりスムーズに蓋体１２の開閉ができるものである。
【００３１】
なお、本実施例では、中央に開口部５を形成した取付部４を前面パネル２に配置したがこれに限定されず、前面パネル２に開口部５を直接形成して、該開口部５の開口部分の周りを内側に折り曲げて立設することにより開口部５の内周面を形成し、この内周面に係止穴６や回動穴７、８を形成してもよい。
【００３２】
また、図７及び図８のように取手部１３の蓋体１２の軸支側の面、つまり下面の係止片１６寄りに突起部１８を形成し、取手部１３をつまもうとして取手部１３の下面に人差し指が当接したときに、突起部１８が最初に人差し指に当接し、蓋体１２をより押し上げて傾けることとなり、さらにスムーズに蓋体１２の開閉ができるものである。
【００３３】
また、本実施例は回動軸を水平方向として蓋体１２を上下に回動させるものだがこれに限定されず、図９及び図１０のように回動軸を垂直方向にして蓋体１２を左右に回動させるものでもよく、この場合、蓋体１２には、正面からみて上面右端に回動軸１４を突設し、底面右端に回動軸１５を突設し、底面左端に係止片１６を突設すると共に、蓋体１２の正面向かって左下に取手部１３を立設しているものである。
【００３４】
また、取付部４の中央に形成された開口部５内周の正面向かって上面右端に回動穴７を形成し、下面右端にも回動穴８を形成すると共に、下面中ほどの位置に係止穴６を形成しているものである。
【００３５】
この場合、図９のように蓋体１２が係止されて閉じた状態から開く場合、開くため取手部１３を指でつまもうとして、取手部１３の右側面に人差し指が当たると、取手部１３を右から左へと押すようにしてつまむため、回動穴８及び係止穴６内に遊動可能に位置する回動軸１５及び係止片１６が、回動穴８及び係止穴６内を横方向に移動して、蓋体１２は上面右端に突設した回動軸１４を中心にしてわずかに時計回りの方向に回動し、蓋体１２が傾いた状態となる。
【００３６】
それにより図１０のように、係止穴６と係止片１６との係合が解除されて、蓋体１２は回動軸１４及び回動軸１５を軸にして回動自在な状態となり、その状態で蓋体１２を手前に引くとスムーズに開くものである。
【００３７】
蓋体１２が開いている状態から閉じるときも、蓋体１２の取手部１３を指でつまむと蓋体１２は傾いた状態となり、係止片１６が取付部４の開口部５の正面縁部に当接せずに蓋体１２を閉じる位置までスムーズに回動させることができるものである。
【００３８】
そして、蓋体１２を閉じる位置まで回動した後指を離すと、蓋体１２は回動軸１４を中心にしてわずかに反時計回りの方向に回動し、係止片１６が係止穴６内に移動して係合し、蓋体１２は係止されて閉じた状態となる。
【００３９】
このように本発明では、取手部１３を指でつまむと、つまむときに当たる指により押されて蓋体１２が回動軸１４を中心にしてわずかに回動して傾き、それにより係止片１６は閉じるときは取付部４の開口部５の正面縁部に当接しないか当接してもわずかでほとんど衝撃がなく、開くときは取付部４の係止穴６内と当接しないか当接してもわずかでほとんど衝撃がない位置に移動するのでスムーズに開閉することができ、取手部１３をつまんだ指を離すと、傾いていた蓋体１２が元のまっすぐな状態となって、閉じる場合は係止片１６が取付部４の係止穴６内に移動して蓋体１２が閉じた状態で係止され、多少の衝撃が加わっても蓋体１２が開いてしまうことがないものである。
【００３９】
【発明の効果】
以上のように、この発明は、器具本体の垂直面に設けられ中央に開口部を有し該開口部内周の対向する面の端に各々回動穴を形成した取付部と、外周に突設した一対の回動軸を前記回動穴に挿入して開閉自在に軸支された蓋体とからなり、該蓋体の正面に取手部を立設した蓋体の開閉装置に於いて、開口部内周に係止穴を形成し、かつ蓋体の回動軸を突設した一方の面に係止穴と係合する係止片を設け、前記係止穴及び該係止穴と同一面に設けた回動穴とを長穴に形成すると共に取手部を係止片側に設けたものであるから、取手部を指でつまむと、つまむときに当たる指により押されて蓋体が回動軸を中心にしてわずかに回動して傾き、それにより係止片は、閉じるときは取付部の開口部の正面縁部に当接しないか当接してもわずかでほとんど衝撃がなく、開くときは取付部の係止穴内と当接しないか当接してもわずかでほとんど衝撃がない位置に移動するのでスムーズに開閉することができ、取手部をつまんだ指を離すと、傾いていた蓋体が元のまっすぐな状態となり、閉じる場合はそれにより係止片が取付部の係止穴内に移動して蓋体が閉じた状態で係止され、多少の衝撃が加わっても蓋体が開いてしまうのを防止できるものである。
【図面の簡単な説明】
【図１】この発明の一実施例を付した器具本体を示す斜視図。
【図２】同蓋体を示す斜視図。
【図３】同蓋体を閉じている時の要部断面図。
【図４】同取手部をつまんだ時の要部断面図。
【図５】同取手部に傾斜面を形成した蓋体の正面図。
【図６】同要部断面図。
【図７】同取手部に突起部を形成した蓋体の正面図。
【図８】同要部断面図。
【図９】同この発明の他の実施例を示す正面図。
【図１０】同取手部をつまんだ時の要部断面図。
【図１１】同従来例を示す要部斜視図。
【図１２】同要部断面図。
【符号の説明】
１  器具本体
４  取付部
５  開口部
６  係止穴
７，８  回動穴
１２  蓋体
１３  取手部
１４，１５  回動軸
１６  係止片
【図１】
0003650518.tif 000002
【図２】
0003650518.tif 000003
【図３】
0003650518.tif 000004
【図４】
0003650518.tif 000005
【図５】
0003650518.tif 000006
【図６】
0003650518.tif 000007
【図７】
0003650518.tif 000008
【図８】
0003650518.tif 000009
【図９】
0003650518.tif 000010
【図１０】
0003650518.tif 000011
【図１１】
0003650518.tif 000012
【図１２】
0003650518.tif 000013